(57)【要約】【課題】  従来、被写体の撮影状態を考慮して撮影枚数のカウントは行われていなかった。【解決手段】  本発明では、入力画像内の被写体を認識して、前記被写体の撮影状態を判別する判別手段と、前記撮影状態に対する前記被写体の撮影枚数をカウントし、前記撮影状態に対する撮影枚数に応じて前記被写体の撮影を補助する情報を表示装置に表示させる制御手段とを備えることを特徴とする。【選択図】図２
2014216658.tif 000002
【特許請求の範囲】
【請求項１】
入力画像内の被写体を認識して、前記被写体の撮影状態を判別する判別手段と、
前記撮影状態に対する前記被写体の撮影枚数をカウントし、前記撮影状態に対する撮影枚数に応じて前記被写体の撮影を補助する情報を表示装置に表示させる制御手段と
を備えることを特徴とする撮影装置。
【請求項２】
請求項１に記載の撮影装置において、
前記制御手段は、前記撮影状態に対する撮影枚数が予め設定された目標枚数に満たない場合に、前記撮影状態における前記被写体の撮影枚数が不足していることを示す情報を前記表示装置に表示させる
ことを特徴とする撮影装置。
【請求項３】
請求項１または２に記載の撮影装置において、
前記撮影状態の種類と前記撮影状態の種類に対する前記目標枚数とを少なくとも設定する設定手段とを備え、
前記制御手段は、前記判別手段により判別された前記撮影状態の種類に対する前記被写体の撮影枚数をカウントする
ことを特徴とする撮影装置。
【請求項４】
請求項１から３のいずれか一項に記載の撮影装置において、
前記被写体を個体識別するための識別情報を記憶する記憶手段とを備え、
前記判別手段は、前記被写体の前記識別情報を抽出し、
前記制御手段は、前記判別手段により抽出された前記識別情報が前記記憶手段に登録済であるか否かを判別し、未登録である場合は前記被写体に対応する前記識別情報を前記記憶手段に登録する
ことを特徴とする撮影装置。
【請求項５】
請求項４に記載の撮影装置において、
前記制御手段は、前記記憶手段に記憶された前記被写体の登録数が予め設定された数に達するまで登録処理を行う
ことを特徴とする撮影装置。
【請求項６】
請求項１から５のいずれか一項に記載の撮影装置において、
前記制御手段は、前記撮影状態に対する前記被写体の撮影枚数が前記目標枚数に満たない場合に、前記撮影状態の前記被写体の撮影枚数が不足していることを示す情報を強調して前記表示装置に表示させる
ことを特徴とする撮影装置。
【請求項７】
請求項１から６のいずれか一項に記載の撮影装置において、
前記制御手段は、前記被写体の撮影枚数が不足している前記撮影状態が複数ある場合は、最も撮影枚数が不足している前記撮影状態を示す情報を前記表示装置に表示させる
ことを特徴とする撮影装置。
【請求項８】
請求項４から７のいずれか一項に記載の撮影装置において、
前記記憶手段は、前記被写体を個体識別するための前記識別情報に対応付けて、前記被写体の個人情報を記憶し、
前記判別手段は、入力画像を前記表示装置にリアルタイムで表示するスルー画像の中から前記識別情報を用いて前記被写体の認識を行い、
前記制御手段は、前記被写体が前記判別手段により認識された場合に、前記判別手段により認識された前記被写体に対応する前記被写体の前記個人情報を含む前記被写体の撮影を補助する情報を前記スルー画像内に表示する
ことを特徴とする撮影装置。
【請求項９】
請求項８に記載の撮影装置において、
前記制御手段は、前記スルー画像の前記被写体が予め設定された前記撮影状態に合致する場合に、前記スルー画像の前記被写体を撮影する
ことを特徴とする撮影装置。
【請求項１０】
請求項８または９に記載の撮影装置において、
画面上の予め設定された位置にフォーカスを合わせるオートフォーカス手段とを備え、
前記制御手段は、前記スルー画像の中に撮影枚数が不足する前記被写体がある場合に、前記被写体にフォーカスを合わせるための前記位置を設定する
ことを特徴とする撮影装置。
【請求項１１】
入力画像内の被写体を認識して、前記被写体の撮影状態を判別する判別ステップと、
前記撮影状態に対する前記被写体の撮影枚数をカウントし、前記撮影状態に対する撮影枚数に応じて前記被写体の撮影を補助する情報を表示装置に表示する制御ステップと
をコンピュータで実行することを特徴とする撮影補助プログラム。
【発明の詳細な説明】
【技術分野】
【０００１】
本発明は、撮影装置および撮影補助プログラムに関する。
【背景技術】
【０００２】
顔認識技術を用いて、撮影写真の中に予め登録した顔を検出した場合に人物の写真枚数として自動的にカウントする方法が知られている（例えば、特許文献１参照）。
【先行技術文献】
【特許文献】
【０００３】
【特許文献１】特開２００７−０２０１０４号公報
【発明の概要】
【発明が解決しようとする課題】
【０００４】
ところが、被写体の撮影状態を考慮して撮影枚数のカウントは行われていなかった。
【０００５】
上記課題に鑑み、本発明の目的は、被写体の撮影状態に応じた撮影枚数をカウントする撮影装置および撮影補助プログラムを提供することである。
【発明の開示】
【課題を解決するための手段】
【０００６】
本発明に係る撮影装置は、入力画像内の被写体を認識して、前記被写体の撮影状態を判別する判別手段と、前記撮影状態に対する前記被写体の撮影枚数をカウントし、前記撮影状態に対する撮影枚数に応じて前記被写体の撮影を補助する情報を表示装置に表示させる制御手段とを備えることを特徴とする。
【０００７】
本発明に係る撮影補助プログラムは、入力画像内の被写体を認識して、前記被写体の撮影状態を判別する判別ステップと、前記撮影状態に対する前記被写体の撮影枚数をカウントし、前記撮影状態に対する撮影枚数に応じて前記被写体の撮影を補助する情報を表示装置に表示する制御ステップとをコンピュータで実行することを特徴とする。
【発明の効果】
【０００８】
本発明に係る撮影装置および撮影補助プログラムは、被写体の撮影状態に応じた撮影枚数をカウントすることができる。
【図面の簡単な説明】
【０００９】
【図１】本実施形態に係る撮影装置１０１の構成例を示す図である。
【図２】制御部１０４の構成例を示す図である。
【図３】出席者数と取りたい写真の設定画面の一例を示す図である。
【図４】顔データの登録先を示す図である。
【図５】撮影時の処理を示すフローチャートである。
【図６】個人データの設定画面の一例を示す図である。
【図７】出席者の設定画面の一例を示す図である。
【図８】スルー画像で未登録者を検出した時の画面例を示す図である。
【図９】アドバイス表示画面の一例を示す図である。
【図１０】撮影時の処理を示すフローチャートである。
【図１１】名前表示の一例を示す図である。
【図１２】自動撮影の一例を示す図である。
【図１３】自動トリミングの一例を示す図である。
【図１４】笑顔自動撮影の一例を示す図である。
【発明を実施するための形態】
【００１０】
以下、本発明に係る撮影装置および撮影補助プログラムの実施形態について図面を用いて詳しく説明する。
（第一の実施形態）
図１は、本実施形態に係る撮影装置１０１の一例を示すブロック図である。本実施形態に係る撮影装置１０１は、多数の出席者が参加する会場で各人の写真枚数に偏りが出ないように初心者でも簡単に撮影することができるカメラである。例えば、結婚式の披露宴やパーティー、グループ旅行などのイベントで写真を撮影する際に、出席者やグループのメンバーの撮影枚数に過不足がないように撮影することができる。本実施形態に係る撮影装置１０１では、説明がわかり易いように、このような機能をパーティーモードと称するが、同様の機能であれば他の名称であってもよい。
【００１１】
特に、本実施形態に係る撮影装置１０１では、撮影状態のお知らせ機能や必要な写真を撮るためのアドバイス機能を有し、撮影に不慣れな初心者でも簡単に使用することができる。例えば、表情を検出して笑顔でない場合や失敗写真（顔の一部が切れていたり、目を閉じていたり、手振れや露光の過不足などがある写真）は、当該人物の撮影枚数としてカウントしないようにする。また、笑顔などの撮影状態（写真シーンと称してもよい）毎に撮影枚数をカウントして、撮影者に不足する撮影状態の内容を知らせる機能を有する。例えば顔の大きさを判別して予め設定した大きさ未満の場合はアップ画像が少ないと判断して、当該人物のアップ画像が不足していることを撮影者にアドバイスする。
【００１２】
さらに、出席者の顔の登録は、事前に全出席者の顔写真を登録する必要がなく、撮影しながら出席者の登録を増やしていくことができる。例えば、出席者数だけを設定しておき、登録者数が出席者数より少ない場合に未登録者を検出して登録するか否かを確認し、登録者数が出席者数に達した段階で全出席者の登録を終了する。また、過去に撮影された写真（例えば他社のカメラで撮影された写真）からも登録することができる。さらに、登録する顔データや顔データに対応する個人データを独立したメモリーやファイルに記録して、データベース化することもできる。また、データベースの履歴に記憶されている顔データは、最新の撮影状態の良好な顔画像（フォーカス状態や露光状態だけでなく、笑顔の状態などが良好な顔画像）や顔データに常に自動更新される。
【００１３】
このように、本実施形態に係る撮影装置１０１は、被写体の撮影状態に応じた撮影枚数をカウントし、撮影枚数が不足している人物、特に笑顔など所望の撮影状態毎に撮影枚数が不足している人物、を撮影者に適切にアドバイスするので、不慣れな撮影者でも簡単に出席者毎に撮影枚数の偏りなく撮影することができる。
【００１４】
図１において、撮影装置１０１は、撮影レンズ１０２と、撮像部１０３と、制御部１０４と、表示部１０５と、操作部１０６と、レンズ制御部１０７と、メモリーカードインターフェース（Ｉ／Ｆ）１０８と、不揮発性メモリー１０９と、バッファーメモリー１１０とで構成される。
【００１５】
撮影レンズ１０２は、撮影画角を変更するズームレンズ１０２ａ、露出を可変する絞り１０２ｂ、シャッター１０２ｃ、フォーカスを合わせるフォーカスレンズ１０２ｄなどを有し、レンズ制御部１０７により制御される。
【００１６】
撮像部１０３は、撮像素子２０１と、映像回路２０２と、撮像制御回路２０３とで構成される。撮像素子２０１は、ＣＭＯＳセンサなどが用いられ、撮影レンズ１０２により受光面に結像される被写体像を光量に応じた電気信号に変換する。映像回路２０２は、撮像制御回路２０３が出力するタイミング信号に従って、撮像素子２０１から読み出された電気信号を増幅し、デジタルの画像データに変換して制御部１０４に出力する。また、撮像制御回路２０３は、撮像素子２０１が動作するタイミングを制御し、特にスルー画像撮影時の電子シャッターの露光時間なども制御する。
【００１７】
制御部１０４は、ＣＰＵで構成され、不揮発性メモリー１０９に予め記憶されたプログラムに従って撮影装置１０１全体の動作を制御し、撮影された画像または撮影済みの画像の顔検出および個人認証処理、顔画像の評価処理、表示部１０５への画像や情報の表示処理、画像データの記録処理や顔データおよび個人データなどの記録処理を行う。また、制御部１０４は、操作部１０６の操作ボタン２０７の操作に応答し、電源のＯＮ／ＯＦＦやズーミング、フォーカシング、露出制御などを行い、不揮発性メモリー１０９やメモリーカード１０８ａに記録された撮影済みの画像や撮像部１０３で撮影された画像をモニター２０４に表示したり、撮影準備段階で撮像部１０３が撮影するスルー画像をモニター２０４に表示する。
【００１８】
ここで、スルー画像の撮影時は、シャッター１０２ｃは開放状態になり、撮像素子２０１に結像される被写体像は制御部１０４によって周期的に画像処理され、動画的にモニター２０４に映し出される。同時に、制御部１０４によって、画像のコントラストを検出し、フォーカスレンズ１０２ｄを移動させ、最もコントラストの高いフォーカスレンズ位置を検索し、その位置にフォーカスレンズ１０２ｄを移動させる（コントラスト方式によるオートフォーカス）。また、制御部１０４は、画像の輝度レベルを検出し、検出した輝度レベルから絞り１０２ｂとシャッター１０２ｃの開閉速度とを制御して静止画撮影時の自動露出制御を行う。尚、制御部１０４が行う処理については後で詳しく説明する。
【００１９】
表示部１０５は、モニター２０４と、モニター制御回路２０５とで構成される。モニター２０４は、液晶ディスプレイなどで構成される。モニター制御回路２０５は、モニター２０４の点灯、消灯、表示制御などを行い、制御部１０４から出力される画像、グラフィック、文字などの情報をモニター２０４に表示する。
【００２０】
操作部１０６は、操作検出回路２０６と、操作ボタン２０７とで構成される。操作検出回路２０６は、レリーズボタン（半押し）２０７ａ，レリーズボタン（全押し）２０７ｂや電源ボタン２０７ｃなどの操作ボタン２０７の押下を検出して制御部１０４にどのボタンが押下されたかを示す操作情報を出力する。ここで、レリーズボタン（半押し）２０７ａ，レリーズボタン（全押し）２０７ｂは、押下状態を二段階で検出するスイッチで構成され、レリーズボタン（半押し）２０７ａで半押し状態、レリーズボタン（全押し）２０７ｂで全押し状態をそれぞれ検出する。尚、操作部１０６は、図１では省略しているが、レリーズボタン（半押し）２０７ａ、レリーズボタン（全押し）２０７ｂ、電源ボタン２０７ｃ以外にもメニューボタンや撮影モード選択ダイヤル、十字キー（上下左右のカーソルボタン、Ｓｅｔボタンを含む）などを有する。また、モニター２０４にタッチパネルを配置して、タッチパネルによる操作を行えるようにしてもよい。
【００２１】
レンズ制御部１０７は、フォーカス制御回路２０８と、シャッター制御回路２０９と、絞り制御回路２１０と、ズーム制御回路２１１とで構成され、制御部１０４の指令により動作する。フォーカス制御回路２０８は、フォーカスレンズ１０２ｄを駆動して焦点を合わせる。絞り制御回路２１０は、絞り１０２ｂを駆動して撮影レンズ１０２を通過する光量を調整する。シャッター制御回路２０９は、シャッター１０２ｃを駆動して露光時間を制御する。尚、レンズ制御部１０７は、撮影準備段階のスルー画像の撮影時において、シャッター１０２ｃを開放状態にして電子シャッターにより露光時間を制御する。また、ズーム制御回路２１１は、操作部１０６のズームボタンの操作に応じてズームレンズ１０２ａを駆動して撮影画角を変更する。
【００２２】
メモリーカードＩ／Ｆ１０８は、メモリーカード１０８ａを装着してデータを読み書きするためのインターフェースである。
【００２３】
不揮発性メモリー１０９は、フラッシュメモリーなどで構成され、制御部１０４が動作するためのプログラム、撮影装置１０１の動作に必要なパラメータ、或いは画像データなどが記憶される。特に、本実施形態に係る撮影装置１０１では、撮像部１０３で撮影される画像から抽出した顔データ（顔画像や顔の特徴量など）と、顔データに対応して登録された個人データ（例えば名前などの個人情報）とが関連付けて記憶される。これにより、新たに撮影される顔画像から個人認証を行うことができる。さらに、１つのイベント（パーティーなど）毎に、出席者数などの出席者情報や出席者毎の撮影枚数なども個人データに関連付けて記録される。尚、撮影枚数は、人物毎（個人データ毎）の全撮影枚数や、所望の撮影状態毎（笑顔，アップ画像など）の撮影枚数である。また、撮影者により設定された撮影対象となる被写体数（例えばパーティーの出席者数）も記憶される。
【００２４】
バッファーメモリー１１０は、高速ＲＡＭなどで構成され、撮影時の画像データを一時的に格納し、画像処理過程のデータ、画像処理後のデータ、画像圧縮後のデータなど制御部１０４が処理を行う際の処理バッファーとして使用される。また、顔画像の検出や抽出処理などもバッファーメモリー１１０上で行われる。また、不揮発性メモリー１０９やメモリーカード１０８ａに記憶されている撮影済みの画像から顔検出処理を行う際にもバッファーメモリー１１０が使用される。或いは、表示部１０５にスルー画像や撮影画像を表示する際の表示メモリとしても使用される。
【００２５】
次に、制御部１０４の構成例について、図２を用いて説明する。尚、図２において、図１と同符号のブロックは同じものを示す。
【００２６】
図２の例では、制御部１０４は、撮影処理部３０１と、表示処理部３０２と、顔認識処理部３０３と、評価処理部３０４と、登録処理部３０５と、設定処理部３０６と、記録処理部３０７とで構成される。尚、上記の処理間でデータを引き渡す処理、或いは操作処理などの上記以外の基本的な処理は、特別に処理部として記載していないが制御部１０４として実行される。また、図２において、画像データは不揮発性メモリー１０９の画像記憶領域４０２やメモリーカード１０８ａの画像記憶領域４０３に記憶され、顔データ、個人データ、撮影枚数などのデータはデータ記憶領域４０１に独立したファイルで記憶される。尚、データ記憶領域４０１を別のメモリーカードに記憶するようにして、データベース化を図ってもよい。
【００２７】
撮影処理部３０１は、撮影時に撮影レンズ１０２のシャッター１０２ｃを開放状態にして撮像部１０３で撮影される画像をリアルタイムでモニター２０４に動画表示する処理を行う（スルー画像表示）。そして、撮影者は、モニター２０４に表示されるスルー画像を見て被写体や構図を確認してレリーズボタン（全押し）２０７ｂを押下して静止画撮影を行う。操作部１０６のレリーズボタン（半押し）２０７ａが押下されると、撮影処理部３０１は、撮像部１０３とレンズ制御部１０７とを制御してフォーカス制御や露出制御を行い、レリーズボタン（全押し）２０７ｂが押下されると、シャッター１０２ｃを開閉して撮像部１０３で撮影された静止画をバッファーメモリー１１０に取り込む処理を行う。
【００２８】
表示処理部３０２は、表示部１０５のモニター２０４に画像、グラフィック、文字などを出力する。例えばバッファーメモリー１１０に取り込まれた撮影画像をモニター２０４に表示し、画像にメッセージやイラストなどのグラフィックをオーバーレイして表示する処理を行う。或いは、メニュー画面をモニター２０４に表示する処理を行う。特に、本実施形態に係る撮影装置１０１では、顔認識処理部３０３が検出した顔の周辺に人物名や撮影枚数が不足する撮影状態、撮影枚数などを撮影者へのアドバイスとして表示する処理を行う。
【００２９】
顔認識処理部３０３は、バッファーメモリー１１０に取り込まれた画像から顔検出を行い、不揮発性メモリー１０９に登録されている個人データの顔の特徴量から個人を認識する処理を行う（個人認証）。これにより、スルー画像や撮影画像に誰の顔が写っているかを判別することができる。ここで、顔認識処理部３０３は、抽出した顔の特徴量が不揮発性メモリー１０９に登録されている個人データの特徴量に合致しない場合、当該顔画像は未登録者であると判断する。
【００３０】
評価処理部３０４は、画像（特に顔部分）の撮影状態を評価する。ここで、評価内容は、例えば、顔の大きさ（アップ度合いなど）、表情（目つぶりがない、笑顔、表情がよい、など）、画質（ブレが少ない、解像が高い、露出が適正、ホワイトバランスがよい、陰が少ない、など）、配置（正面を向いている、視線がレンズを向いている、顔の一部切れ、画面の中央である）などである。
【００３１】
登録処理部３０５は、撮影した画像または撮影済みの画像から検出した顔データ（顔画像や顔の特徴量など）と、入力された氏名などの個人データとを不揮発性メモリー１０９のデータ記憶領域４０１に記憶する処理を行う。また、登録処理部３０５は、データ記憶領域４０１に登録済みの顔データや個人データを変更したり、最新のデータに更新する処理も行う。また、顔データと個人データに関連付けて撮影枚数なども記録する。尚、撮影枚数は、人物毎（個人データ毎）の全撮影枚数や、所望の撮影状態毎（笑顔，アップ画像など）の撮影枚数である。
【００３２】
設定処理部３０６は、出席者数、目標撮影枚数、所望の撮影状態（笑顔、アップ画像など）の条件を設定する処理を行う。例えば、パーティーの出席者数の設定を行う場合、図３（ａ）に示すようなメニュー画面をモニター２０４に表示して、操作部１０６の上カーソルボタン２０７ｄまたは下カーソルボタン２０７ｅを操作して人数を増減し、Ｓｅｔボタン２０７ｆを押下する。図３（ａ）の例では、出席者数が３名に設定されている。同様に、図３（ａ）の出席者数を目標撮影枚数の設定メニューにすれば、目標撮影枚数を設定することができる。また、図３（ｂ）は、撮りたい写真の設定を行うメニュー画面の一例を示す図である。図３（ｂ）の例では、「笑顔」と「アップ画像」のリストがチェックボックス付きでモニター２０４の画面に表示されている。そして、操作部１０６の上カーソルボタン２０７ｄまたは下カーソルボタン２０７ｅを操作して設定したいリストを選択し、Ｓｅｔボタン２０７ｆを押下する。図３（ｂ）の例では、枠が表示された「笑顔」の項目が選択されており、この状態でＳｅｔボタン２０７ｆを押下すると、チェックボックスに選択マークが表示される。そして、次の「アップ画像」の項目を選択する場合は下カーソルボタン２０７ｅを押下して「アップ画像」の項目に枠が表示された状態でＳｅｔボタン２０７ｆを押下する。尚、複数の項目を選択することもできる。また、項目追加ボタンを選択してＳｅｔボタン２０７ｆを押下することにより、新たな項目を追加することもできる。
【００３３】
記録処理部３０７は、バッファーメモリー１１０に取り込まれた画像データにファイル名などを付加して、不揮発性メモリー１０９やメモリーカード１０８ａに保存する処理を行う。尚、本実施形態では、説明がわかり易いように、顔データや個人データなどの不揮発性メモリー１０９への記憶は、登録処理部３０５が行うようにしたが、記録処理部３０７で行ってもよいし、記録処理部３０７と登録処理部３０５とを１つにまとめてもよい。
【００３４】
ここで、本実施形態に係る撮影装置１０１では、目標撮影枚数を設定する場合に絶対的な撮影枚数と相対的な撮影枚数とを設定できる。
【００３５】
絶対的な撮影枚数では、例えば笑顔の目標撮影枚数が２枚に設定されている場合、Ａさんの笑顔の枚数が１枚であればＡさんの笑顔の撮影枚数が不足すると判断する。
【００３６】
一方、相対的な撮影枚数では、撮影枚数の代わりに、例えば笑顔の目標撮影枚数の全撮影枚数に対する割合（２０％など）を設定する。この場合、例えばある時点でのＡさんの全撮影枚数が１０枚で笑顔の撮影枚数が１枚の時、Ａさんの笑顔の相対的な撮影枚数の割合は１０％となり、Ａさんの笑顔の撮影枚数が不足すると判断する。また、Ａさんの全撮影枚数が５枚の場合は、笑顔の撮影枚数が１枚であってもＡさんの笑顔の相対的な撮影枚数の割合は２０％となり、Ａさんの笑顔の撮影枚数は不足しないと判断する。或いは、全出席者の笑顔の総撮影枚数を出席者数で割った平均撮影枚数を基準にしてもよい。例えばある時点において、全出席者（２０名）の笑顔の総撮影枚数（４０枚）である場合の基準となる笑顔の平均撮影枚数は２枚／人となり、Ａさんの笑顔の撮影枚数が２枚であれば不足しない。この場合、Ａさん以外の人の笑顔の撮影枚数が増えて総撮影枚数が６０枚に増加した場合、Ａさんの笑顔の撮影枚数が２枚であれば不足すると判断される。
【００３７】
このように、所望の撮影状態に対応する撮影枚数の設定は、絶対的な枚数でもよいし、相対的な枚数でもよい。特に、所望の撮影状態に対応する相対的な撮影枚数を設定することで、出席者全体の撮影枚数に対して基準枚数が自動的に追従するので、常に各人に偏りなく撮影する効果が得られる。
【００３８】
また、所望の撮影状態毎の被写体の撮影枚数の設定は、メニュー画面などで撮影者が任意に選択することができる。例えばメニュー画面において、先ず、所望の撮影状態を選択し、次に、撮影状態毎に、絶対撮影枚数、全出席者に対する平均撮影枚数、各出席者の撮影枚数に対する割合、などを選択して設定することができる。
【００３９】
さらに、上記の例では、所望の撮影状態を笑顔として説明したが、アップ画像などでもよい。尚、アップ画像の判断は、例えば全画面に対する顔部分の面積比が予め設定された閾値以上である場合にアップ画像と判断することができる。また、所望の撮影状態とは、笑顔やアップ画像などの撮影者が撮りたい写真の条件のことで、例えば顔の写り具合（顔の大きさ（アップ画像など）、表情（笑顔など）、画質（フォーカス状態、明るさなど）、顔の位置（画面中央など）、のような撮影状態を、メニュー画面などで撮影者が任意に選択して、所望の撮影状態を設定することができる。
【００４０】
そして、出席者毎に、所望の撮影状態毎の被写体の撮影枚数が不足するか否かを判別し、不足する場合は不足していることを示すメッセージ（アドバイス）を表示部１０５に表示する。例えばＡさんの笑顔の撮影枚数が不足している場合、表示部１０５に表示されたＡさんの顔の近辺に「笑顔不足」、「笑顔撮影要」などのアドバイスを表示する。ここで、撮影者が表示部１０５に表示されたアドバイスに気付き易いように、アドバイスを強調表示するようにしてもよい。強調表示は、例えばアドバイスを点滅する、色を変える、大きさを変える、アニメーションで動きを加える、などである。或いは、顔自体を点滅させたり、枠で囲んでもよい。
【００４１】
さらに、不足している撮影状態の顔部分をＡＦ（オートフォーカス）位置に自動的に設定するようにして、撮影者はレリーズボタンを押下するだけで、不足している撮影状態の顔にフォーカスが合った画像を撮影することができる。
【００４２】
このようにして、不足している撮影状態に合致した出席者の顔を撮影して、当該出席者の不足している撮影状態に対する被写体の撮影枚数をカウントアップすることができる。ここで、撮影された顔を評価して、予め設定した評価基準を満たしていない場合は、撮影枚数のカウントアップは行わない。
【００４３】
また、同じ出席者で、複数の不足している撮影状態の被写体がある場合は、最も少ない（最も不足している）撮影枚数の被写体に対して、撮影を補助する情報を表示部１０５の画面に表示するようにしてもよい。この場合、例えばＡさんの笑顔の撮影枚数が１枚（笑顔の目標撮影枚数が５枚）、アップ画像の撮影枚数が２枚（アップ画像の目標撮影枚数が５枚）の場合、表示部１０５の画面に表示されたＡさんの顔の近辺には、「笑顔不足」（または「笑顔」だけでもよい）とだけ表示される。これにより、最も不足している撮影状態の画像を優先的に撮影することができる。尚、もちろん、不足する全ての撮影状態の内容を表示するようにしてもよいし、不足度合いに応じて表示する大きさを変えるようにしてもよい。例えば上記の例では、表示部１０５の画面に表示されたＡさんの顔の近辺には、「笑顔不足」と「アップ画像不足」とが表示されるが、「笑顔不足」の文字を「アップ画像不足」の文字よりも大きく表示することで、撮影者は、アップ画像よりも笑顔の撮影を優先して撮影する必要があることを認識できる。
【００４４】
次に、他のカメラで撮影した画像から顔データを登録する場合について説明する。図４（ａ）は、撮影装置１０１で撮影した画像から得られた画像データと、顔データおよび個人データとを記憶する時のデータの流れを示した図である。この場合、制御部１０４のプログラム（ファームウェア）が記憶されている不揮発性メモリー１０９に、顔データと個人データとが記憶され、画像データはメモリーカード１０８ａに記憶される。尚、画像データを不揮発性メモリー１０９に記憶するようにしてもよい。一方、図４（ｂ）は、他のカメラで撮影した画像データが記憶されているメモリーカード１０８ａをメモリーカードＩ／Ｆ１０８に接続して、顔データや個人データを登録する時のデータの流れを示した図である。図４（ｂ）において、メモリーカード１０８ａが接続されると、モニター２０４の画面に「メモリカードの顔データを登録しますか？」というメッセージと「登録する／登録しない」の選択画面が表示され、図３と同様に、いずれかを選択してＳｅｔボタン２０７ｆを押下する。図４（ｂ）の例では、「登録する」が選択されているので、メモリーカード１０８ａに記憶されている画像データが制御部１０４により読み出されて、顔認識処理部３０３、登録処理部３０５などによる顔データの登録処理が行われる。このようにして、他社のカメラで撮影した画像からでも、顔データや個人データをデータベースとして不揮発性メモリー１０９に蓄積することができる。
【００４５】
次に、本実施形態に係る撮影装置１０１の撮影時の動作について図５のフローチャートを用いて説明する。尚、図５のフローチャートは、制御部１０４のプログラムに従って実行される処理の流れを示している。
【００４６】
（ステップＳ１０１）撮影者が操作部１０６の電源ボタン２０７ｃを押下すると、制御部１０４は、撮影装置１０１の起動を開始する。
【００４７】
（ステップＳ１０２）制御部１０４は、不揮発性メモリー１０９に記憶されている設定情報（例えば撮影モードや再生モードなど）を参照してシステムを初期化する。ここでは、撮影モードに設定されているものとする。
【００４８】
（ステップＳ１０３）制御部１０４は、シャッター１０２ｃを開放状態にして撮像部１０３で周期的に撮影される動画像をスルー画像としてモニター２０４に表示する。
【００４９】
（ステップＳ１０４）制御部１０４は、撮像部１０３で撮影される画像のホワイトバランス調整を行う。
【００５０】
（ステップＳ１０５）制御部１０４は、撮像部１０３で撮影される画像からコントラスト方式のオートフォーカス制御（ＡＦ）を行う。
【００５１】
（ステップＳ１０６）制御部１０４は、撮像部１０３で撮影される画像から自動露出制御（ＡＥ）を行う。
【００５２】
（ステップＳ１０７）制御部１０４は、図４（ｂ）で説明したように、メモリーカード１０８ａが挿入されている場合に、顔データの登録を行う処理を実行する。既に不揮発性メモリー１０９のデータ記憶領域４０１に登録されている場合は、図４（ｂ）で「登録しない」を選択して次のステップＳ１０８に進み、図４（ｂ）で「登録する」を選択した場合は登録処理を行う。登録処理は、例えば図６に示すような登録画面で行う。図６の例では、制御部１０４は、メモリーカード１０８ａに記憶されている画像から顔を抽出してモニター２０４に抽出した顔画像を表示する。そして、ユーザーは左カーソルボタン２０７ｇまたは右カーソルボタン２０７ｈで登録したい顔画像を選択する（図６では点線枠の画像が選択された顔画像）。そして、下カーソルボタン２０７ｅで名前入力欄を選択すると、例えばキーボードインターフェース画面が表示されるので、選択した顔画像に対する個人データを入力する（図６の例では「日本太郎」の名前が入力されている）。ここで、Ｓｅｔボタン２０７ｆを押下すると、選択された顔画像に対応する顔データ（顔画像および顔の特徴量）と、個人データ（名前）とが関連付けられて不揮発性メモリー１０９のデータ記憶領域４０１に記憶される。
【００５３】
（ステップＳ１０８）制御部１０４は、撮影モードが通常モードであるかパーティーモードであるかを判別する。通常モードである場合はステップＳ１２２に進み、パーティーモードである場合はステップＳ１０９に進む。尚、通常モードとパーティーモードの選択は、操作部１０６の撮影モード選択ダイヤルやメニュー画面で行う。
【００５４】
（ステップＳ１０９）制御部１０４は、レリーズボタン（半押し）２０７ａが押下された場合の割込みを許可する。これは、通常の撮影モードでレリーズボタン（半押し）２０７ａが押下された場合、フォーカスロックや露出確定などが行われ、レリーズボタン（全押し）２０７ｂが押下されるのを待つが、パーティーモードでは、レリーズボタン（半押し）２０７ａにより割り込みが発生し、出席者入力モードに移行する。尚、ここでは、レリーズボタン（半押し）２０７ａで出席者入力モードにするようにしたが、メニューボタンや専用のボタンを設けてもよい。
【００５５】
（ステップＳ１１０）制御部１０４は、先に説明したように、レリーズボタン（半押し）２０７ａの状態により、出席者入力モードであるか、撮影モードであるかを判別する。そして、出席者入力モードである場合はステップＳ１１１に進み、撮影モードである場合はステップＳ１１４に進む。
【００５６】
（ステップＳ１１１）制御部１０４は、図３（ａ）で説明したように、出席者人数を入力する。
【００５７】
（ステップＳ１１２）制御部１０４は、不揮発性メモリー１０９のデータ記憶領域４０１に登録されている顔画像を読み出してモニター２０４に表示する（図７）。そして、上下左右のカーソルボタン（上カーソルボタン２０７ｄ、下カーソルボタン２０７ｅ、左カーソルボタン２０７ｇ、右カーソルボタン２０７ｈ）を操作して今回のパーティーの出席者の顔を選択する。この時、例えばカーソルボタンで選択された顔画像に点線枠が表示され、当該顔画像に対応する個人データ（名前：東京三郎）がある場合は下欄などに表示される。さらに、全出席者数とその時点で出席者として設定されている人数とが表示される。図７の例では、全出席者数が３名で、設定された人数が１名である。これにより、撮影者は、２名の出席者が未設定であることを認識できる。
【００５８】
（ステップＳ１１３）制御部１０４は、ステップＳ１１２でモニター２０４に表示された顔画像から出席者を設定する。例えば、図７の画面において、選択した顔画像を出席者として登録する場合はＳｅｔボタン２０７ｆを押下する。
【００５９】
（ステップＳ１１４）制御部１０４は、全出席者の設定が完了したか否かを判別する。そして、全出席者の設定が完了している場合はステップＳ１２１に進み、全出席者の設定が完了していない場合（未設定の出席者がいる場合）はステップＳ１１５に進む。つまり、未設定出席者がいない場合（全出席者の設定が完了している場合）は、未登録者がいても登録確認処理には移行しないので、例えばパーティー会場の従業員が撮影画角内に入った場合でも設定画面に移行することなく自動的に除外される。
【００６０】
（ステップＳ１１５）制御部１０４は、モニター２０４に表示されているスルー画像中に未登録者があるか否かを判別する。そして、未登録者がある場合はステップＳ１１６へ進み、未登録者がない場合はステップＳ１２１に進む。
【００６１】
（ステップＳ１１６）制御部１０４は、自動撮影を行う。
【００６２】
（ステップＳ１１７）制御部１０４は、図８に示すように、自動撮影した画像をモニター２０４に表示して、未登録者を登録するか否かを確認する。図８の例では、自動撮影した画像を表示して、未登録者の顔を枠で強調表示して、「未登録者を登録しますか？」のメッセージを表示する。この時、現時点の登録者数と出席者数とを表示して、何人足りないかを確認することができる。図８の例では、出席者数：４名、登録者数：３名なので１名が未登録であることがわかる。尚、同じ画面に登録済の者が写っている場合は、登録済の顔の近辺に個人データ（同図では名前：太郎）を表示する。
【００６３】
（ステップＳ１１８）制御部１０４は、ユーザーによる登録する／登録しないの選択を確認する。そして、登録する場合はステップＳ１１９に進み、登録しない場合はステップＳ１２０に進む。尚、ユーザーによる登録する／登録しないの選択は、例えば図８の場合は、画面に表示された「Ｙｅｓ」または「Ｎｏ］の項目を左カーソルボタン２０７ｇまたは右カーソルボタン２０７ｈで選択してＳｅｔボタン２０７ｆを押下する。また、同じ画面に複数の未登録者が写っている場合は、例えば、上カーソルボタン２０７ｄまたは下カーソルボタン２０７ｅで未登録者と表示されている顔を選択（例えば選択した顔に枠が表示される）した上で、各未登録者に対して登録する／登録しないの選択を行う。
【００６４】
（ステップＳ１１９）制御部１０４は、ステップ１１６で自動撮影され、ステップＳ１１８で「登録する」が選択された顔の顔データ（顔画像や顔の特徴量）を不揮発性メモリー１０９のデータ記憶領域４０１に登録すると共に、当該顔データを今回のパーティーの出席者の一人として設定する。ここで、図６で説明したように、顔データを登録する際に、顔データに対応する名前などを入力する画面を表示する。そして、入力された情報を当該顔データの個人データとしてデータ記憶領域４０１に記憶する。尚、ステップＳ１１６で自動撮影された図８の画像は、顔画像部分のみの登録用として利用した後、破棄してもよいし、撮影画像として不揮発性メモリー１０９の画像記憶領域４０２やメモリーカード１０８ａの画像記憶領域４０３に保存するようにしてもよい。また、撮影画像として保存する場合、撮影枚数としてカウントしてもよいし、除外してもよい。
【００６５】
（ステップＳ１２０）制御部１０４は、ステップＳ１１８で「登録しない」が選択された顔の顔データ（顔画像や顔の特徴量）は、未登録者として不揮発性メモリー１０９のデータ記憶領域４０１に登録しておく。これにより、以降に自動撮影された画像の中に当該顔画像が含まれていても、未登録者として図８のような登録画面を何度も表示しないようにすることができる。
【００６６】
（ステップＳ１２１）制御部１０４は、パーティーモードの特徴である撮影アドバイスを表示する。例えば図９に示すように、モニター２０４に表示されるスルー画像中の顔が出席者として設定された顔である場合、当該顔の近辺に名前などの個人データを表示する。図９の例では、画面左から「太郎」、「一郎」、「次郎」、「花子」であることがわかる。特に、本実施形態に係る撮影装置１０１では、各人物に撮影枚数が不足する撮影状態（笑顔やアップ画像など）がある場合、その内容（総撮影枚数の不足を含む）を表示する。図９の例では、「花子」はアップ画像、「一郎」は笑顔の画像、「次郎」は総撮影枚数がそれぞれ不足していることがわかる。また、「太郎」は不足するものがないので名前だけが表示されている。ここで、不揮発性メモリー１０９のデータ記憶領域４０１には、出席者として設定された個人データ毎の撮影枚数や所望の撮影状態毎の撮影枚数が記憶されている。図９の例では、データ記憶領域４０１に、「太郎」、「一郎」、「次郎」および「花子」の４名について、総撮影枚数と、笑顔の画像の撮影枚数と、アップの画像の撮影枚数とが記憶されている。例えば「太郎」は笑顔：３枚、アップ画像：２枚、総撮影枚数は５枚である。同様に、「一郎」は笑顔：１枚、アップ画像：５枚、総撮影枚数は６枚である。また、「次郎」は笑顔：１枚、アップ画像：１枚、総撮影枚数は２枚である。さらに、「花子」は笑顔：４枚、アップ画像：１枚、総撮影枚数は５枚である。このように、総撮影枚数や所望の撮影状態毎の撮影枚数が個人別に管理されている。
【００６７】
ここで、リスト表示ボタンを設けて、図９のような表をモニター２０４に表示して、現時点での撮影枚数を確認できるようにしてもよい。或いは、不足している項目に「×」印、不足していない項目に「○」印を表示してもよい。例えば図９において、総撮影枚数の目標枚数：５枚、笑顔の画像の目標枚数：２枚、アップ画像の目標枚数：２枚、のようにそれぞれ設定されている場合、「太郎」は全て目標枚数に達しているので「○」、「一郎」は総撮影枚数とアップの画像の撮影枚数は目標枚数に達しているので「○」であるが、笑顔の画像の撮影枚数が不足するので「×」となる。同様に、「花子」はアップ画像の撮影枚数だけが不足するので「×」となる。また、「次郎」は全て目標枚数に達していないので「×」となる。
【００６８】
このようにして、モニター２０４のスルー画像に表示された「花子」、「一郎」、「次郎」および「太郎」の顔近辺に不足する撮影状態（総撮影枚数の不足を含む）の内容がアドバイスとして表示されるので、撮影者はどのような撮影状態の写真が不足しているのかを容易に知ることができる。ここで、撮影枚数が不足する顔画像がわかり易いように、図９では名前を点線枠で囲んで強調表示している。尚、点線枠を表示する代わりに、文字の色を変えたり、点滅させるようにしてもよい。或いは、撮影枚数が不足する顔画像に、注意マークや泣き顔のイラストを表示するようにしてもよい。逆に、撮影枚数が足りている顔画像に、笑顔のイラストを表示するようにしてもよい。
【００６９】
（ステップＳ１２２）制御部１０４は、パーティーモードの設定処理が終了すると、レリーズボタン（半押し）２０７ａによる割り込み処理を禁止する。これにより、以降のレリーズボタン（半押し）２０７ａの操作では、通常の撮影と同様に、フォーカスロックや露出確定の処理が実行される。そして、ステップＳ１２２の処理実行後はステップＳ１２３に進む。尚、図５のフローチャートの続きを図１０のフローチャートに示す。また、図５のフローチャートの（Ａ）および（Ｂ）は、図１０のフローチャートの（Ａ）および（Ｂ）にそれぞれ接続される。
【００７０】
（ステップＳ１２３）制御部１０４は、レリーズボタン（半押し）２０７ａが押下されたか否かを判別する。そして、レリーズボタン（半押し）２０７ａが押下された場合はステップＳ１２４に進み、レリーズボタン（半押し）２０７ａが押下されていない場合はステップＳ１３７に進む。
【００７１】
（ステップＳ１２４）制御部１０４は、撮像部１０３で撮影される画像から自動露出制御（ＡＥ）を行う。
【００７２】
（ステップＳ１２５）制御部１０４は、撮像部１０３で撮影される画像のホワイトバランス調整を行う。
【００７３】
（ステップＳ１２６）制御部１０４は、撮像部１０３で撮影される画像からコントラスト方式の自動フォーカス制御（ＡＦ）を行う。
【００７４】
（ステップＳ１２７）制御部１０４は、レリーズボタン（全押し）２０７ｂが押下されたか否かを判別する。そして、レリーズボタン（全押し）２０７ｂが押下された場合はステップＳ１２９に進み、レリーズボタン（全押し）２０７ｂが押下されていない場合はステップＳ１２８に進む。
【００７５】
（ステップＳ１２８）制御部１０４は、レリーズボタン（半押し）２０７ａが押下されているか否かを判別する。そして、レリーズボタン（半押し）２０７ａが押下されている場合はステップＳ１２７に戻り、レリーズボタン（半押し）２０７ａが押下されていない場合は図５のステップＳ１０４に戻る。
【００７６】
（ステップＳ１２９）制御部１０４は、シャッター１０２ｃを開閉して撮像部１０３で静止画の撮影を行い、バッファーメモリー１１０に撮影画像を取り込む。
【００７７】
（ステップＳ１３０）制御部１０４は、ステップＳ１０８と同様に、選択されている撮影モードが通常モードであるかパーティーモードであるかを判別する。通常モードである場合はステップＳ１３５に進み、パーティーモードである場合はステップＳ１３１に進む。
【００７８】
（ステップＳ１３１）制御部１０４は、バッファーメモリー１１０に取り込まれた撮影画像に含まれる顔を検出し、更に検出した顔の特徴量が不揮発性メモリー１０９のデータ記憶領域４０１に記憶されている顔データの特徴量に合致するか否かを判別して個人認証を行う。例えば図１１の場合は、「一郎」と「太郎」であると認証される。尚、出席者として未設定の顔は除外される。
【００７９】
（ステップＳ１３２）制御部１０４は、先に説明したように、認識した顔画像の撮影状態を評価する。評価内容は、先に説明したように、顔の大きさ（アップ度合いなど）、表情（目つぶりがない、笑顔、表情がよい、など）、画質（ブレが少ない、解像が高い、露出が適正、ホワイトバランスがよい、陰が少ない、など）、配置（正面を向いている、視線がレンズを向いている、顔の一部切れ、陰が少ない、画面の中央である）などである。
【００８０】
（ステップＳ１３３）制御部１０４は、撮影状態の評価結果より失敗写真か否かを判別する。失敗写真でない場合（ＯＫの場合）はステップＳ１３４に進み、失敗写真で有る場合（失敗の場合）はステップＳ１３５に進む。ここで、失敗写真とは、目つぶり、ブレが大きい、露光過不足、顔の一部切れ、などである。
【００８１】
（ステップＳ１３４）制御部１０４は、ステップＳ１３１で認証した顔データを最新の顔データとして更新する。具体的には、不揮発性メモリー１０９のデータ記憶領域４０１に登録されている個人データに対応する顔データ（顔画像および顔の特徴量など）を最新の顔データに置き換える。ここで、不揮発性メモリー１０９のデータ記憶領域４０１に記憶されている更新前の顔データの記録日を確認して、予め設定された期間以上前の場合に更新するようにしてもよいし、顔の評価結果が以前より良い場合に更新するようにしてもよい。この場合、例えば、解像が高い、表情がよい、露出がよい、ホワイトバランスがよい、陰が少ない、正面を見ている、視線がレンズを向いている、などの評価が以前より良い場合に顔データを更新する。また、不揮発性メモリー１０９のデータ記憶領域４０１に記憶されている更新前の顔データに新たに認証した顔データを上書きしてもよいし、そのまま保持しておいてもよい。これにより、新たな顔データに問題があった場合でも、直ぐに元の顔データに戻すことができる。
【００８２】
（ステップＳ１３５）制御部１０４は、バッファーメモリー１１０に取り込まれている撮影画像にファイル名を付加して不揮発性メモリー１０９またはメモリーカード１０８ａに記録する。
【００８３】
（ステップＳ１３６）制御部１０４は、顔認証データ更新処理を行う。具体的には、ステップＳ１３１で認証した個人データに対応して不揮発性メモリー１０９のデータ記憶領域４０１に記憶されている撮影枚数をカウントアップして更新する。ここで、撮影状態毎に撮影枚数をカウントする場合は、ステップＳ１３２の評価結果より、撮影画像の顔が笑顔であるか、アップ画像であるかの判別を行い、それぞれの撮影枚数をカウントアップする。失敗写真である場合は、当該人物の総撮影枚数としてカウントしてもよいし、カウントしなくてもよい。或いは、当該人物の失敗写真の項目を設けて、失敗写真の撮影枚数としてカウントしてもよい。
【００８４】
尚、個人データが未入力や空白である場合に、個人データの入力要求画面を表示して、入力を促すようにしてもよい。ここで、個人データが未入力や空白になるのは、例えばステップＳ１０７やステップＳ１１９などで個人データを入力する際に、急いでいるなどの理由で後で入力しようとして省略した場合や、出席者であることは分かっていても名前を思い出せない場合などで意図的に入力しなかった場合である。
【００８５】
また、個人データが未入力である場合に、先に説明した図９などのアドバイス表示画面において、名前の変わりに「未入力出席者」などの表示を行ってもよい。或いは、「名前を入力しますか？」などのメッセージを表示するようにしてもよい。さらに、画像再生時に、個人データが未入力である場合に、個人データの入力要求画面を表示して、入力させるようにしてもよい。これにより、パーティー会場などで名前の入力などの煩わしい操作を行う必要がなくなる。尚、名前が入力されていなくても出席者の設定は可能であり、顔データは登録されているので、顔データに対応させて仮の名前（例えば出席者Ａ）で撮影枚数を管理することができる。
【００８６】
（ステップＳ１３７）制御部１０４は、電源ボタン２０７ｃが押下されたか否かを判別する。そして、電源ボタン２０７ｃが押下された場合（ＯＦＦ）はステップＳ１３８に進み、電源ボタン２０７ｃが押下されていない場合（ＯＮ）は図５のフローチャートのステップＳ１０４に戻る。
【００８７】
（ステップＳ１３８）制御部１０４は、全ての動作を終了して撮影装置１０１の電源をＯＦＦにする。
【００８８】
このように、本実施形態に係る撮影装置１０１は、被写体の撮影状態に応じた撮影枚数をカウントし、撮影枚数が不足している人物、特に笑顔など所望の撮影状態毎に撮影枚数が不足している人物、を撮影者に適切にアドバイスするので、不慣れな撮影者でも簡単に撮影枚数の偏りなく撮影することができる。また、撮影対象となる人物の顔の登録は、事前に全出席者の顔写真を登録する必要がなく、出席者数だけを設定しておくだけで、撮影しながら出席者の登録を行うことができる。
【００８９】
ここで、ステップＳ１２１で説明したパーティーモードにおける撮影アドバイスの表示処理において、アドバイスを表示するだけではなく、スルー画像上で顔の評価を行って、問題がなければ自動撮影を行うようにしてもよい。例えば図１２（ａ）に示すように、「次郎」の撮影枚数が不足している場合に、「次郎」の顔がスルー画像の中に捉えられると、先に説明したように、「次郎」の文字と、「不足」の文字とが顔の近辺に表示されて撮影者に撮影を勧めると共に自動撮影を行う。この場合、予め設定した時間が経過しても撮影が行われない場合に自動撮影を行うようにしてもよい。尚、この時に「自動撮影」していることを示すメッセージを画面に表示してもよい。
【００９０】
さらに、図１２（ｂ）に示すように、撮影する顔が適度な大きさになるように、ズームレンズ１０２ａを制御して光学的にズームアップしたり、電子ズームによってズームアップした後で自動撮影するようにしてもよい。或いは、図１３（ａ）に示すように、スルー画像に複数の顔が写っている場合は自動トリミングして、顔のアップ画像を自動撮影するようにしてもよい（図１３（ｂ））。
【００９１】
また、図１４に示すように、笑顔検出をして自動撮影するようにしてもよい。尚、図１３の自動トリミングに笑顔検出を組み合わせて、笑顔の画像を自動トリミングして自動撮影するようにしてもよい。
【００９２】
以上、様々な例を挙げて説明してきたように、本実施形態に係る撮影装置１０１は、パーティーなどの行事で出席者の撮影を行う場合に、被写体の撮影状態に応じた撮影枚数をカウントし、撮影枚数が特定の出席者に偏ることなく撮影することができる。特に、取りたい撮影状態を設定して、取りたい撮影状態毎に被写体の撮影枚数をカウントするので、全出席者に撮影枚数の偏りがなくなるだけでなく、例えば笑顔など取りたい撮影状態の撮影枚数の偏りも少なくすることができる。
【００９３】
また、どの人物にどのような撮影状態の枚数が不足しているのかが分かるように、スルー画像に不足している撮影状態の被写体の撮影を補助する情報を表示して、撮影者にアドバイスするので、初心者でも容易に不足している撮影状態の被写体を撮影することができる。さらに、撮影枚数が不足している被写体の撮影状態が明確になるので、撮影枚数が不足している被写体を自動的に検出して自動撮影することにより、初心者でも撮り忘れがなくなる。
【００９４】
また、顔の評価をして枚数をカウントするので、枚数は多いが失敗写真ばかりで良い写真が無いというミスを防ぐことができる。
【００９５】
また、全出席者の登録が事前に済んでいなくても、過去に撮影した写真や他社のカメラで撮影した写真から顔データの登録が可能なので、設定が容易になる。特に、顔データは、撮影しながら順次、自動的に追加するので、面倒な準備作業が不要になる。
【００９６】
特に、顔データは、順次、自動更新するため、最新の表情の良い写真から抽出された顔データを用いることができ、顔認証の精度を向上することができる。
【００９７】
尚、上記の説明では、人物の顔を特定被写体として検出および認証し、人間の顔を撮影することを前提としたが、ペット仲間でイベントを行った時のペットの撮影や、動物園内の動物を取り忘れなく撮影する場合や、サーキット場のスポーツカーを偏りなく撮影する場合など、個別認証が可能な被写体であれば同様に適用可能である。
【００９８】
以上、本発明に係る撮影装置および撮影補助プログラムについて、各実施形態で例を挙げて説明してきたが、その精神またはその主要な特徴から逸脱することなく他の多様な形で実施することができる。そのため、上述した実施形態はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【００９９】
１０１・・・撮影装置；１０２・・・撮影レンズ；１０２ａ・・・ズームレンズ；１０２ｂ・・・絞り；１０２ｃ・・・シャッター；１０２ｄ・・・フォーカスレンズ；１０３・・・撮像部；１０４・・・制御部；１０５・・・表示部；１０６・・・操作部；１０７・・・レンズ制御部；１０８・・・メモリーカードＩ／Ｆ；１０８ａ・・・メモリーカード；１０９・・・不揮発性メモリー；１１０・・・バッファーメモリー；２０１・・・撮像素子；２０２・・・映像回路；２０３・・・撮像制御回路；２０４・・・モニター；２０５・・・モニター制御回路；２０６・・・操作検出回路；２０７・・・操作ボタン；２０７ａ・・・レリーズボタン（半押し）；２０７ｂ・・・レリーズボタン（全押し）；２０７ｃ・・・電源ボタン；２０７ｄ・・・上カーソルボタン；２０７ｅ・・・下カーソルボタン；２０７ｈ・・・右カーソルボタン；２０７ｇ・・・左カーソルボタン；２０７ｆ・・・Ｓｅｔボタン；２０８・・・フォーカス制御回路；２０９・・・シャッター制御回路；２１０・・・絞り制御回路；２１１・・・ズーム制御回路；３０１・・・撮影処理部；３０２・・・表示処理部；３０３・・・顔認識処理部；３０４・・・評価処理部；３０５・・・登録処理部；３０６・・・設定処理部；３０７・・・記録処理部；４０１・・・データ記憶領域；４０２，４０３・・・画像記憶領域
【図１】
2014216658.tif 000003
【図２】
2014216658.tif 000004
【図３】
2014216658.tif 000005
【図４】
2014216658.tif 000006
【図５】
2014216658.tif 000007
【図６】
2014216658.tif 000008
【図７】
2014216658.tif 000009
【図８】
2014216658.tif 000010
【図９】
2014216658.tif 000011
【図１０】
2014216658.tif 000012
【図１１】
2014216658.tif 000013
【図１２】
2014216658.tif 000014
【図１３】
2014216658.tif 000015
【図１４】
2014216658.tif 000016